(57)【要約】【課題】充電部位に高電圧が印加されているときにはシャッタを開くことができないようにすることができる配電盤のシャッタ装置を提供すること。【解決手段】遮断器１１０を移動することにより開閉される断路部への開口を前記遮断器の移動に伴い閉止、開放するシャッタ板１２１，１２２，１２３，１２４と、これらのシャッタ板１２１，１２２，１２３，１２４が閉位置に位置するとき閉信号を出力するマイクロスイッチ１２７と、断路部の充電部に電圧が印加されているとき高圧信号を出力する母線電位スイッチとを設け、閉信号及び高圧信号の両方の信号を受けたとき、電磁ロック装置１２５によってシャッタ板１２１，１２２，１２３，１２４を閉位置に固定するようにした。【選択図】図１
2008125151.tif 000002
【特許請求の範囲】
【請求項１】
遮断器を移動することにより開閉される断路部への開口を前記遮断器の移動に伴い閉止、開放するシャッタ板と、
前記シャッタ板が閉位置にきたとき閉信号を出力する閉状態検出器と、
前記断路部の充電部に電圧が印加されていることを検出して電位信号を出力する電圧検出器と、
前記閉信号及び高圧信号の両方の信号を受けたとき、前記シャッタ板の開位置への移動を禁止するロック装置と、
を備えることを特徴とする配電盤のシャッタ装置。
【請求項２】
前記遮断器は、水平方向に抜き差し移動することにより断路部を開閉すると共に、シャッタ板は、前記遮断器の抜出しにより移動して前記開口を閉止し、遮断器の差し込みにより前記開口を開放するリンク機構を備えることを特徴とする請求項１記載の配電盤のシャッタ装置。
【請求項３】
前記閉状態検出器は、マイクロスイッチであることを特徴とする請求項１または２記載の配電盤のシャッタ装置。
【請求項４】
前記高圧検出器は、前記検出すべき電圧を検知して駆動されるリレーであることを特徴とする請求項１ないし３のいずれか一記載の配電盤のシャッタ装置。
【請求項５】
前記ロック装置はロック駆動装置で駆動される電磁ロック装置であり、前記ロック駆動装置は、前記閉信号を受けて導通状態となるスイッチと、高圧信号を受けて導通状態となるスイッチとを直列に配置してなる検出器とを直列に配置して構成されることを特徴とする請求項１ないし４のいずれか一記載の配電盤のシャッタ装置。
【発明の詳細な説明】
【技術分野】
【０００１】
本発明は、配電盤のシャッタ装置に係り、特に遮断器を開いた状態のとき確実にシャッタ部材を閉塞位置に施錠することができる配電盤のシャッタ装置に関する。
【背景技術】
【０００２】
閉鎖配電盤内に収納される遮断器は、その保守、点検を容易化するため、夫々の収納室の前方からの押し込み及び引き出し操作により、収納室の背面に設けた断路部に対して接離可能とした引出し型として構成されることが多い。
【０００３】
このような引出し型の遮断器を備える閉鎖配電盤においては、遮断器の引き出し時において前記断路部の充電部位が外部に露出することを防ぐべく、前記断路部の前面を覆うシャッタ板が設けられており、このシャッタ板は、遮断器の引き出し又は押し込み操作に応じて動作し、引き出し時に断路部を閉止し、押し込み時に断路部を開放する構成となっている。
【０００４】
このように遮断器の引き出し時にシャッタ板を閉止状態とすることができるシャッタ装置として、特許文献１、特許文献２に記載された構造のものがある。シャッタ板により開閉される断路部は、上下に所定の絶縁距離を隔てて配設されており、特許文献１に開示されたシャッタ装置は、上下の断路部を開閉するシャッタ板が、その開放時において両断路部間に集められる構成となっているのに対し、特許文献２に開示されたシャッタ装置は、上部のシャッタ板は引き上げにより、下部シャッタ板は押し下げにより夫々の断路部を開放する構成となっている。従来は、上下の断路部間の離隔距離が短い場合においても適用可能な後者の構成が多く採用されている。
【０００５】
このようなシャッタ装置においては、上下のシャッタ板の夫々に対し、これらの押し上げ及び押し下げ操作のためのレバーまたはリンク機構を構成し、断路部の接続のために遮断器が押込まれたとき、この遮断器の一部との当接により生じる前記レバーまたはリンク機構の動作によりシャッタ板を移動させて断路部を開放する一方、断路部の遮断のために遮断器が引き出されたとき、前記当接の解除に伴う前記レバーまたはリンク機構の動作によりシャッタ板を移動させて断路部を閉止するようにしてある。
【０００６】
【特許文献１】特開昭５２−０８５３４２号公報
【特許文献２】特開昭５４−０７１３４５号公報
【０００７】
図４及び図５は、断路部の閉止時に充電部位を塞ぐシャッタ板を備えるシャッタ装置の構成例を示す側面図である。この例において、引き出し形の遮断器１は、台車１０上に搭載され、該台車１０と共に前後（図４、図５における左右）に移動可能に遮断器室２に収納されている。遮断器室２の後壁２０には、上下に所定の絶縁距離を隔てて一対の断路部２１，２２が設けてあり、これらの断路部２１，２２は、遮断器室２内において遮断器１が、図４に示す接続位置にまで押し込まれることにより、該遮断器１の後面に突出する接触子１１，１２との係合により接続され、図５に示すように、遮断器１が断路位置にまで引き出されることにより、前記接触子１１，１２の離脱により断路されるようになっている。
【０００８】
下側の断路部２２の前位置には、シャッタホルダ３０及び３１が、各別のガイドピン２３及びガイドピン２４に沿って上下動自在に前後に重ねて配してあり、これらの最下部には、夫々との対向側にシャッタ板３ａ，３ｂが固設してあり、また中途部には、夫々との対向側に向けて係合突起３２，３３が突設されている。
【０００９】
前部のシャッタホルダ３０の上端は、上行リンク４０、揺動レバー４１、及び下行リンク４２を備えるリンク機構４により、遮断器１の移動経路の一側に配された当接レバー５に連繋させてある。揺動レバー４１は、その中途部を支軸４３により揺動自在に支持して前後方向に延設してあり、上行リンク４０は、揺動レバー４１の後端と前記シャッタホルダ３０の上端とを連結しており、この連結部と、上方に適長離隔した固定位置との間に引張ばねＳが架設してある。
【００１０】
当接レバー５は、その一端部に固設された当接片５０を支軸５１により揺動自在に支持し、遮断器１の移動経路の一側に前後方向に延設してあり、その後端は、下行リンク４２を介して揺動レバー４１の前端に連結されている。前記当接片５０には、支軸５１のやや後側に遮断器１の移動経路に向けて当接ピン５２が突設されており、遮断器１の同側側面には、前記当接ピン５２と上下位置を合わせて押し板１３が設けてある。
【００１１】
このように構成されたシャッタ装置において、図４に示すように、遮断器１が接続位置にあるとき、該遮断器１に設けられた押し板１３が前記当接ピン５２の下側から当接し、該当接ピン５２を上方に押し上げた状態となり、この押し上げにより当接レバー５が、支軸５１回りの揺動により後端を上向きとして傾倒し、リンク機構４の揺動レバー４１は、下行リンク４２の連結部の押し上げにより支軸４３回りに揺動して上行リンク４０の連結側を下として傾倒する。
【００１２】
これにより、上行リンク４０の下端に連結されたシャッタホルダ３０が下方に移動し、これに固設されたシャッタ３ａは、他方のシャッタホルダ３１に取り付けられたシャッタ板３ｂと前後に重なった状態で遮断器室２の床面近傍に降下し、下部の断路部２２は開放され、遮断器１の後側に突設された接触子１２との係合状態が得られる。
【００１３】
このとき、上行リンク４０と揺動レバー４１との連結部に下端を接続された引張ばねＳは、揺動レバー４１の前述した傾倒によって伸長せしめられた状態となり、そのばね力により上行リンク４０を引き上げる向きに付勢している。
【００１４】
この状態において遮断器１が、図５に示すように断路位置にまで引き出された場合には、この引き出しに伴って位置を変える押し板１３と当接ピン５２との当接が解除され、該当接ピン５２に押し上げ力が作用しなくなる結果、前記引張ばねＳのばね力により上行リンク４０が引き上げられ、シャッタホルダ３０が上動して、該シャッタホルダ３０に固設されたシャッタ板３ａが引き上げられる一方、所定長上動した位置にてシャッタホルダ３０に突設された係合突起３２が他方のシャッタホルダ３１の係合突起３３に当接し、該シャッタホルダ３１と共に、これに固設されたシャッタ板３ｂが前記シャッタ板３ａと上下に位置ずれした状態にて引き上げられ、これらにより前記断路部２２の前側が覆われた状態となり、該断路部２２が閉止される。
【００１５】
一方、前記揺動レバー４１は、引張ばねＳのばね力による後端部の引き上げにより支軸４３回りに揺動して、下行リンク４２の連結部を下として傾倒し、当接レバー５は、下行リンク４２の連結部の押し下げにより、後端を下向きとして支軸５１回りに揺動し、この揺動に伴って当接ピン５２は、次なる遮断器１の押し込みに際して前記押し板１３との当接可能な位置に移動する。
【発明の開示】
【発明が解決しようとする課題】
【００１６】
しかしながら、上述した従来の配電盤のシャッタ装置においては、点検時において、遮断器１が引き出された状態においては、シャッタ３ａ、３ｂが断路部２１、２２の開口を塞いだ状態となり、充電部位に接触することができない状態となってはいるものの、点検のためシャッタ３ａ、３ｂを開状態としなければならないことがある。この場合には、充電部が不導通状態であることを確認してシャッタ３ａ、３ｂを絶縁されたスティックなどにより開くが、充電部位が導通状態であるとき前記シャッタ３ａ、３ｂを開状態とすると充電部に接触するおそれがある。
【００１７】
そこで本発明は、充電部位に高電圧が印加されているときにはシャッタを開くことができないようにすることができる配電盤のシャッタ装置を提供することを目的とする。
【課題を解決するための手段】
【００１８】
上記の課題を解決するため、本発明は、配電盤のシャッタ装置において、遮断器を移動することにより開閉される断路部への開口を前記遮断器の移動に伴い閉止、開放するシャッタ板と、前記シャッタ板が閉位置にきたとき閉信号を出力する閉状態検出器と、前記断路部の充電部に電圧が印加されているとき高圧信号を出力する電圧検出器と、前記閉信号及び高圧信号の両方の信号を受けたとき、前記シャッタ板の開位置への移動を禁止するロック装置とを備えるものとした。
【発明の効果】
【００１９】
本発明に係る配電盤のシャッタ装置によれば、シャッタ板が断路部への開口を閉止している状態であると、閉信号及び高圧信号の一方が遮断されない限りシャッタ板はロック装置で閉位置に固定されるから、充電部に電圧が印加された状態でシャッタ板を開けることができず、むやみに充電部位が露出されることがなくなる。
【発明を実施するための最良の形態】
【００２０】
本発明を実施するための最良の形態を図１ないし図３に基づいて説明する。図１は本発明に係る配電盤のシャッタ装置の構成を示す構成略図である。本実施の形態では、配電盤１００には、２台の遮断器１１０，１３０が上下に配置されている。なお、図１では下段は遮断器１１０を挿入した状態、上段は遮断器１３０を抜出した状態を示している。
【００２１】
本実施の形態において、上段の遮断器１３０と下段の遮断器１１０とは、同一の構成を備えるため、まず下段の遮断器１１０について説明する。遮断器１１０には、断路部受部材１１１，１１２が配置され、この断路部受部材１１１，１１２に引き出し型の遮断器１１０の接触子１１３，１１４が挿入、抜出されることにより、遮断器１１０における接続、切断が行われる。
【００２２】
遮断器１１０には、上述した接触子１１３，１１４を保持する保持器１１５が設けられ、この保持器１１５はローラ１１６，１１７により、基台１１８上を水平方向に移動し、前記断路部受部材１１１，１１２に接触子１１３，１１４を挿入、抜出する。
【００２３】
本実施の形態では、遮断器１１０には、遮断器１１０を引き出し、充電部位である断路部受部材１１１，１１２への開口を塞ぐシャッタ板１２１，１２２，１２３，１２４が配置される。本実施の形態では下方の断路部受部材１１１に対応してシャッタ板１２１，１２２が配置され、上方の断路部受材１１２に対応してシャッタ板１２３，１２４が配置され、上述した従来例と同様の機構で、遮断器１１０の移動にあわせてシャッタ板１２１，１２２，１２３，１２４を移動する図示していない公知のリンク機構が設けられている。
【００２４】
また、遮断器１１０は、開状態となったシャッタ板１２１，１２２が開状態となるのを禁止するロック装置１２５を備えている。この１２５は電磁ロックであり、シャッタ板が閉位置にきたときの閉信号と、充電部に電圧が印加されていること示す電位信号の両信号があるときロッド１２６を突出させ、いずれかの信号がないときロッドを引込める。本実施の形態では、ロック装置１２５はロッド１２６を突出させたとき、前記シャッタ板１２１，１２２の移動を禁止する。本実施の形態では、シャッタ板１２４の位置を検出する閉状態検出器として、シャッタ板１２４に接触してオンとなるマイクロスイッチ１２７を配置している。なお、ロック装置１２５でシャッタ板１２１，１２２の移動が禁止されると、リンク装置に接続された上方のシャッタ板１２３，１２４の移動も禁止される。
【００２５】
図１において配電盤１００の上段の遮断器１３０は下段の遮断器１１０と同様に、断路部受部材１３１，１３２、接触子１３３，１３４、保持器１３５、ローラ１３６，１３７、シャッタ板１４１，１４２、１４３，１４４、ロック装置１４５、マイクロスイッチ１４７、ロッド１４６を備える。
【００２６】
次に、本実施の形態に係る配電盤のシャッタ装置のロック装置の制御について説明する。
【００２７】
図２は、図１に示した配電盤のシャッタ装置の制御系を示す回路図である。両ロック装置とも電磁ロック装置で、その制御は同様に行われる。
【００２８】
図２に示すように、本実施の形態に係るロック装置１２５は、その電磁石を駆動する直流電源に接続され、マイクロスイッチ１２７で駆動されるシャッタ位置スイッチ１５１、パイロット電流で送電線側からの母線の電位信号を検出する母線電位スイッチ１５２に直列に接続されている。また、このロック装置１２５にはロック解除スイッチ１５５が直列に配置される。このロック解除装置１５５は遮断器１１０を挿入するときに使用されるものであり、作業者の手が触れにくいところに配置することが好ましい。
【００２９】
本実施の形態に係る配電盤のシャッタ装置によれば、充電部位に高電圧が印加されているときにはシャッタ板の開放を禁止することができ、充電部位が高電圧であるとき、充電部位を露出させることが無くなり、作業の安全性を高めることができる。
【００３０】
図３は、本発明に係る配電盤のシャッタ装置の他の例を示すものである。本実施の形態では、ロック装置１２５の制御系に、母線電位スイッチ１５２に並列に自家発電装置等からの電圧により作動する第２の電位スイッチ１５３を配置したものである。本実施の形態によれば、電力会社の送電線からの電力が供給されていない状態で自家発電等により充電部位に電圧が印加されている場合にも電磁スイッチを作動させ、シャッタ板の開放を禁止することができる。
【図面の簡単な説明】
【００３１】
【図１】実施の形態に係る配電盤のシャッタ装置の構成を示す概略断面図である。
【図２】図１に示した配電盤のシャッタ装置の制御系を示す回路図である。
【図３】他の例に係る配電盤のシャッタ装置の制御系を示す回路図である。
【図４】従来の配電盤のシャッタ装置の一例を示す概略側面図である。
【図５】従来の配電盤のシャッタ装置の一例を示す概略側面図である。
【符号の説明】
【００３２】
１００…配電盤
１１０，１３０…遮断器
１２１，１２２、１２３，１２４…シャッタ板
１２５、１４５…ロック装置
１２７，１４７…マイクロスイッチ（閉状態検出器）
１４１，１４２、１４３，１４４…シャッタ板
１５１…シャッタ位置スイッチ（閉状態検出器）
１５２…母線電位スイッチ（電圧検出器）
【図１】
2008125151.tif 000003
【図２】
2008125151.tif 000004
【図３】
2008125151.tif 000005
【図４】
2008125151.tif 000006
【図５】
2008125151.tif 000007